(57)【要約】      （修正有）【課題】ネットワークケーブル用のコネクターロッキング装置を提供する。【解決手段】コネクターロッキング装置は、ロック片サポート台、第一嵌合支持装置、第一釈放アームからなる。ロック片サポート台は、コネクターロッキング装置の上表面から突出する突出部分を備え、コネクターのロック片を支持する。第一嵌合支持装置は、コネクターロッキング装置本体の側面から外側へ突出する突出部分を備え、ケーブルジョイント本体の第一係合部分と嵌合する。第一釈放アームは、第一嵌合支持装置から伸長しており、第一釈放アームを内側に動かすことにより第一嵌合支持装置がケーブルジョイント本体の第一係合部分から釈放される。【選択図】図２
0003168731.tif 000002
【実用新案登録請求の範囲】
【請求項１】
コネクターロッキング装置は、ロック片サポート台、第一嵌合支持装置、第一釈放アームからなり、
該ロック片サポート台は、コネクターのロック片をサポートし、
該第一嵌合支持装置は、ジョイント本体の一部分を嵌合し、
該第一釈放アームは、該第一嵌合支持装置を、該ジョイント本体の該一部分から、釈放することを特徴とするコネクターロッキング装置。
【請求項２】
前記コネクターロッキング装置はさらに、第二嵌合支持置、第二釈放アームを備え、
該第二嵌合支持置は、該ジョイント本体の第二部分を嵌合し、
該第二釈放アームは、該第二嵌合支持装置を、該ジョイント本体の該第二部分から釈放することを特徴とする請求項１に記載のコネクターロッキング装置。
【請求項３】
前記第一及び第二嵌合支持装置は、相互に対面する場所に位置することを特徴とする請求項２に記載のコネクターロッキング装置。
【請求項４】
前記第一及び第二釈放アームは、反対方向に回転し、これにより該第一及び第二嵌合支持装置は、該ジョイント本体の該第一及び第二部分から釈放されることを特徴とする請求項３に記載のコネクターロッキング装置。
【請求項５】
前記セルフ釈放コネクターロッキング装置の幅は、該コネクターの幅より小さいことを特徴とする請求項１に記載のコネクターロッキング装置。
【請求項６】
前記コネクターは、工業標準「RJ」コネクター、 MT-RJ光ファイバーコネクター、或いは「LC」光ファイバーコネクターを設置するコネクターモジュールであることを特徴とする請求項１に記載のコネクターロッキング装置。
【請求項７】
前記ジョイント本体の該一部分は、ロック部品サポート台の内側壁を備えることを特徴とする請求項１に記載のコネクターロッキング装置。
【請求項８】
コネクターロッキング装置は、ロック片サポート台、第一嵌合支持装置、レンチキーからなり、
該ロック片サポート台は、コネクターのロック片をサポートし、
該第一嵌合支持装置は、ジョイント本体の一部分を嵌合し、
該レンチキーは、第一釈放アームに接触でき、該第一嵌合支持装置を、該ジョイント本体の該一部分から、釈放することを特徴とするコネクターロッキング装置。
【請求項９】
前記コネクターロッキング装置はさらに、第二嵌合支持置、第二釈放アームを備え、
該第二嵌合支持置は、該ジョイント本体の第二部分を嵌合し、
該第二釈放アームは、該第二嵌合支持装置を、該ジョイント本体の該第二部分から釈放することを特徴とする請求項８に記載のコネクターロッキング装置。
【請求項１０】
前記釈放コネクターロッキング装置の幅は、該コネクターの幅より小さいことを特徴とする請求項８に記載のコネクターロッキング装置。
【請求項１１】
前記コネクターは、工業標準「RJ」コネクター、MT-RJ光ファイバーコネクター、或いは「LC」光ファイバーコネクターを設置するコネクターモジュールであることを特徴とする請求項８に記載のコネクターロッキング装置。
【請求項１２】
前記ジョイント本体の該一部分は、ロック部品サポート台の内側壁を備えることを特徴とする請求項８に記載のコネクターロッキング装置。
【請求項１３】
前記コネクターロッキング装置はさらに、キー制御釈放コネクターロッキング装置の頂上表面から延伸する設置及び除去突起を備えることを特徴とする請求項８に記載のコネクターロッキング装置。
【請求項１４】
前記コネクターロッキング装置はさらに、レンチキーを備え、該レンチキーには、第一釈放先端を設置し、これにより該レンチキーを嵌合し、該第一釈放アームに接触することを特徴とする請求項８に記載のコネクターロッキング装置。
【請求項１５】
前記レンチキーは、サポート装置を備え、これにより該キー制御釈放コネクターロッキング装置の頂点表面から延伸する設置及び除去突起を嵌合することを特徴とする請求項１４に記載のコネクターロッキング装置。
【考案の詳細な説明】
【技術分野】
【０００１】
本考案はコネクターロッキング装置に関し、特にネットワークケーブル用のコネクターロッキング装置及びその装置を使用する方法に関する。
【背景技術】
【０００２】
コネクターは、基本ダイヤル電話システム、イーサネット（登録商標）／インターネットネットワークシステム、光ファイバーネットワークシステム、セキュリティシステム等電器ネットワーク及び／或いは通信ネットワークに用いられる。
コネクターの種類はさまざまだが、最もよく見られるコネクターは、「Registered Jack」或いは「RJ」規格(米国連邦通信委員会FCCが開発)の標準コネクターである。
該コネクターは、1975年1月14日にHardesty氏が発表した特許文献１「端末線用エレクトリックコネクター装置、及びそれを端末線に組立てる方法」に開示されている。
【０００３】
大多数の光ファイバーケーブルは、「RJ」コネクター、或いは類似の「MT-RJ」光ファイバーコネクター及び「LC」光ファイバーコネクターを用い、すべてそのコンタクトポジション(contact position)及び導線数により定義される。
例えば、最もよく見られるUSBネットワークコネクターの一つである、「RJ45」標準コネクターの特徴は、8P8C構造で、すなわちRJ45は、8個の凹槽及び8導線を備える構造である。
各コネクターは、メスコネクターを備え、それは通常コンピューター、電話、ネットワークルーター等の電器或いは電信装置に連接する。
【０００４】
すべてのコネクター、特に「RJ」コネクター及び「LC」コネクターは、オスコネクター上にロック片を固定する。
メスコネクターと嵌合する時、ロック片は、コネクターを固定して定位し、これによりデータ、電源等は、コネクター接点により伝送される。
通常、ロック片は、プラスチック片で、コネクターの一表面から延伸し、メスコネクターの一部分と嵌合することができる。
【０００５】
しかし、大多数のコネクター設計においては、だれでも故意或いは非故意に、嵌合したロック片により、コネクターをメスコネクターから外し、データの伝送を中断することができる。
これは、ちょっとした面倒を引き起こす可能性があるが、データ伝送の中断は、深刻な結果を招く恐れもある。
そのため、安全ロッキング装置を開発し、標準コネクターに使用する必要がある。
【０００６】
ロッキング装置の構造は、既にたくさん開発されている。
例えば、あるものは、ボルトをメスコネクターに内蔵し、オスコネクターと接続する時、オスコネクターを嵌合し、またレンチキーによりボルトを回す構造を開示する。
しかし、すべてのメスコネクターを、末端の電器或いは電信装置に接続する時、上記した構造では、メスコネクターをどかした後に再び接続する必要がある。
また、この構造は、コストが高く、しかも第三者の手助けなければ、メスコネクターを正確に末端の電器或いは電信装置上に接続することができない。
【０００７】
別種の従来のコネクターロッキング装置の構造は、改良したコネクターに、１個或いは多数のボルト或いはネジを設置する。
これらコネクターロッキング装置の構造は、改良したコネクターを用い、既存のコネクターに置換するため、コストが非常に高い。
また、ボルト或いはネジを運用してロックするため、ケーブル線をどかす時、スクリュードライバー或いは類似の工具を使用する必要がある。
しかし、ネットワークルーターなどの場合には、相当な数のケーブル線をどかさなければならず、非常に面倒である。
【０００８】
さらに、別種の従来のコネクターロッキング装置の構造は、巨大なハウジング装置により、標準コネクターを覆い、ケーブル線が故意或いは非故意にどかされるのを防止するこのである。
該コネクターの問題は、大型ネットワーク環境中に存在している。
その任意の装置、例えば、ネットワークカード(ルーター)は、連接しようとするケーブル線数の許容に対して非常に厳格で、巨大ハウジング装置を使用すると、ケーブルをネットワークカード(ルーター)内に緊密に対応して挿入することができない。
本考案は、従来のコネクターロッキング装置の上記した欠点に鑑みてなされたものである。
【先行技術文献】
【特許文献】
【０００９】
【特許文献１】米国特許3,860,316号公報
【考案の概要】
【考案が解決しようとする課題】
【００１０】
本考案が解決しようとする課題は、ネットワークケーブル用のコネクターロッキング装置及びその装置を使用する方法を提供することである。
【課題を解決するための手段】
【００１１】
上記課題を解決するため、本考案は下記のコネクターロッキング装置を提供する。
コネクターロッキング装置は、ネットワークケーブル用のコネクターロッキング装置及びその装置を使用する方法で、
本考案の一実施例中において、セルフ釈放コネクターロッキング装置は、ロック片サポート台、第一嵌合支持装置、第一釈放アームを備え、
該ロック片サポート台は、コネクターのロック片をサポートし、
該第一嵌合支持装置は、ジョイント本体の一部分を嵌合し、
該第一釈放アームは、該第一嵌合支持装置を、該ジョイント本体の該一部分から釈放し、
本考案の別種の実施例中において、キー制御釈放コネクターロッキング装置は、ロック片サポート台、第一嵌合支持装置、釈放アームを備え、
該ロック片サポート台は、コネクターのロック片をサポートし、
該第一嵌合支持装置は、ジョイント本体の一部分を嵌合し、
該釈放アームは、該第一嵌合支持装置を、該ジョイント本体の該一部分から釈放し、
本考案のさらに別種の実施例中において、ロッキングケーブルコネクターアセンブリは、ケーブル、ジョイント、ロッキング装置を備え、
該ケーブルは、データを第一装置から第二装置へと伝送し、
該ジョイントは、該ケーブルの、ロック部品サポート台を備える一端に設置し、該ジョイントは、ロック片を設置するコネクターを嵌合し、
該ロッキング装置は、ロック片サポート台を備え、コネクターのロック片をサポートし、
該第一嵌合支持装置は、該ロック部品サポート台を嵌合し、
該釈放アームは、該嵌合支持装置を、該ロック部品サポート台から釈放する。
【考案の効果】
【００１２】
本考案のコネクターロッキング装置は、ネットワークケーブル用のコネクターロッキング装置及びその装置を使用する方法を提供することができる。
【図面の簡単な説明】
【００１３】
【図１】本考案一実施例コネクターの立体模式図である。
【図２】本考案一実施例ケーブルジョイントの立体模式図である。
【図３】本考案一実施例ケーブルコネクターアセンブリの立体模式図である。
【図４】本考案一実施例のセルフ釈放コネクターロッキング装置の俯瞰図である。
【図５】図４に示す本考案一実施例のセルフ釈放コネクターロッキング装置の立体模式図である。
【図６】本考案一実施例キー制御釈放コネクターロッキング装置の俯瞰図である。
【図７】図６に示す本考案一実施例キー制御釈放コネクターロッキング装置の立体模式図である。
【図８】本考案一実施例のおいて、キー制御釈放コネクターロッキング装置のレンチキーに用いる立体模式図である。
【図９】本考案一実施例のキー制御釈放コネクターロッキング装置及びレンチキーの立体模式図である。
【図１０】本考案一実施例において、セルフ釈放コネクターロッキング装置を使用するコネクターケーブルアセンブリの立体模式図である。
【図１１】本考案一実施例において、キー制御釈放コネクターロッキング装置を使用するコネクターケーブルアセンブリの立体模式図である。
【図１２】図１１に示す本考案一実施例において、キー制御釈放コネクターロッキング装置を使用するコネクターケーブルアセンブリの俯瞰図である。
【図１３】本考案一実施例において、交換式設置及び除去工具を備えるレンチキーの立体模式図である。
【考案を実施するための形態】
【００１４】
以下に図面を参照しながら本考案を実施するための最良の形態について詳細に説明する。
【実施例】
【００１５】
本考案の多種の実施例は、ネットワークケーブル用のコネクターロッキング装置及びその装置を使用する方法に関する。
図一は、本考案一実施例コネクターの立体図模式図である。
【００１６】
図に示すように、コネクター100は、ジョイントインターフェース102、導体部分104、ロック片106を備える。
【００１７】
本考案の多種の実施例において、該コネクター100は、任意の形式の適したコネクターである。
【００１８】
多くの実施例において、該コネクター100は、モジュールコネクターで、例えば、電信通信及び情報ネットワーク工業に用いる「RJ」コネクターである。
【００１９】
本考案の一実施例中において、該コネクター100は、8個の凹槽及び8個の接点8P8Cを備え、市場で言われるRJ45コネクターである。
【００２０】
本考案の別種の実施例中において、該コネクター100は、6個の凹槽コネクターで、6個の接点6P6Cを備え、市場で言われるRJ11コネクターである。
【００２１】
他のコネクターは、あらゆる電信通信及び情報ネットワーク工業に用いる従来のコネクターで、アナログ及びデジタル信号伝送に用いる通過ケーブル(図示なし)及び光ファイバーケーブル(図示なし)を備えるコネクターである。
【００２２】
本考案の一実施例中において、コネクター100は、LC光ファイバーコネクターを備え、光ファイバーケーブルコネクターは、EIA/TIA-604-10のFOCIS 10標準に準拠する。
【００２３】
おおよそ、該コネクター100のロック片106は、半弾性突出物で、それは、該コネクター100が、メスコネクター(図示なし)に連接する時、釈放可能な連接力を該メスコネクターに提供することができる。
【００２４】
多くの実施例中において、該ロック片106は、該コネクター100と該メスコネクター間の安定的で堅固な連結を維持することができる。
【００２５】
該連結を釈放する時には、該ロック片106に力を加え、それを回転或いは湾曲させ、該メスコネクターとの連結を釈放する。
【００２６】
図２は、本考案一実施例ケーブルジョイントの立体模式図である。
【００２７】
本考案の多くの実施例中において、ケーブルジョイント200は、ケーブル202或いはケーブルの一部分、本体204、及び少なくとも１個の定位係合フック206を備える。
【００２８】
該ケーブル202は、あらゆる種類のケーブルキャリアである。
【００２９】
本考案の多くの実施例中において、該ケーブルジョイント200の定位係合フック206は、一種或いは多種のコネクターと相互に対応する。
【００３０】
図２に示すように、該ケーブルジョイント200は、典型的なRJ45コネクターを係合し、該係合フック206を定位して、RJ45コネクターの内部接続片と相互に対応し、データを伝送することができる。
【００３１】
一般に、ケーブルは、多種のコネクター及び関連する信号伝送に適用可能である。
よって、本考案のある実施例中において、単一のケーブルジョイント200は、異なるタイプのコネクターと係合することができる。
【００３２】
該ケーブルジョイントの本体204は、ロック部品サポート台208を備え、本体204の片側の上表面から突出する。
【００３３】
該ロック部品サポート台208は、硬い構造で、一体成型該ケーブルジョイント200の本体204から延伸して一体成型し、ロック部品(図示なし)をサポートする。
【００３４】
多くの実施例中において、該ロック部品サポート台208は、サポート通路210を備え、該サポート通路210は、該ケーブルジョイント200の縦方向に沿って延伸する。
【００３５】
該ロック部品サポート台208はさらに、少なくとも１個の係合部分212を備え、これにより使用するロック部品を係合する。
【００３６】
図２に示すように、該係合部分212には、孔、或いは一対の孔を設置し、該ロック部品サポート台208両側の相対する壁面を貫通する。
【００３７】
異なる多くの実施例中では、該係合部分212は、該ロック部品サポート台208側壁上において、腔室を設置し、これに以下に記載するロック固定部品の嵌合装置を収納、或いは嵌合する。
【００３８】
他の実施例中では、該係合部分212は、上記機能を達成可能なあらゆる構造である。
【００３９】
図３に示すように、本考案の一実施例において、ケーブルコネクターアセンブリを提供する。
【００４０】
図３に示すように、ケーブルコネクターアセンブリ300は、ケーブル302或いはその一部分、ケーブルジョイント本体304、及びコネクター100を備える。
【００４１】
本考案のある実施例中では、該ケーブルコネクターアセンブリ300は、ロック部品サポート台308を備え、少なくとも１個の係合部分312を備える。
【００４２】
該ケーブルコネクターアセンブリ300は、単一の部品構造で、これにより該コネクター100と該ケーブルジョイント本体304は、最終使用者により分離させられない。
【００４３】
しかし、本考案の他の実施例中では、該ケーブルコネクターアセンブリ300は、図２に示すケーブルジョイント200及び図一に示すコネクター100で、該２個の構成部材は、分離可能な組合せである。
【００４４】
図４及び５図は、本考案一実施例のセルフ釈放コネクターロッキング装置の俯瞰図及び立体模式図である。
【００４５】
本考案の多くの実施例中では、セルフ釈放コネクターロッキング装置400は、ロック片サポート台402、少なくとも１個の第一嵌合支持装置406、及び少なくとも１個の第一釈放アーム408を備える。
【００４６】
セルフ釈放コネクターロッキング装置400はさらに、一対の対応凹部404を備え、これにより使用時には、ケーブルジョイントのロック部品サポート台と相互に対応する。
【００４７】
本考案セルフ釈放コネクターロッキング装置400は、あらゆる適した材料により製造し、ある運用においては、セルフ釈放コネクターロッキング装置400は、非導体或いは導電能力が低い材料により製造し、これにより信号転送への干渉を防止する。
【００４８】
例えば、本考案一実施例中では、セルフ釈放コネクターロッキング装置400は、ポリウレタン(PU)、ポリエチレン(PE)、ポリプロピレン(PP)、アクリロニトリルブタジエンスチレン共重合合成樹脂(ABS)、ポリカーボネート(PC)、グラスファイバー等の合成樹脂、或いはその組合せにより製造する。
【００４９】
非導電である他、セルフ釈放コネクターロッキング装置400は、弾性材料により製造し、正常使用時に、起きる恐れがあるトルク、引力或いは圧縮力に抵抗する。
【００５０】
該セルフ釈放コネクターロッキング装置400を正常に操作するため、選択する材料は、釈放アーム408に外力が加わる状況で、釈放アーム408がその非自由端に相対して回転或いは湾曲時に、弾性変形可能なものでなければならない。
【００５１】
該ロック片サポート台402は、突出部分を備え、該ロッキング装置400の上表面から突出し、コネクターのロック片をサポートする。
【００５２】
該ロック片サポート台402は大多数の実施例中では、該ロック片サポート台402の高度は、コネクター及びそのロック片間の間隔高度とおおよそ等しい。
【００５３】
よって、定位後、該ロッキング装置400は、ロック片が、メスコネクターから離されることを防止することができる。
【００５４】
本考案の多くの実施例中において、該ロック片サポート台402の高度は、コネクターとメスコネクターとの分離を防止するに足るもので、該ロック片の公称回転は、この要求に適合することができる。
【００５５】
該嵌合支持装置406は、ロッキング装置400本体から、外へと延伸する突出部分を備える。
【００５６】
該嵌合支持装置406の個数は、限定しない。
【００５７】
図５に示すように、該ロッキング装置400には、一対の嵌合支持装置406を設置する。
【００５８】
本考案の多くの実施例中では、該嵌合支持装置406は、角状の突出を備え、それは傾斜度が低い前表面、及び一傾斜度が高い後表面を備え、これによりロック及びロック解除に便利である。
【００５９】
さらに、両表面突出設計以外に、本考案の多くの実施例中では、該嵌合支持装置406は、あらゆる構造制限を備えることができ、該釈放アーム408により釈放されるケーブルジョイントのロック部品サポート台の係合部分を嵌合することができる。
【００６０】
例えば、該嵌合支持装置406は、凸ブロック、突起模型、或いはロッキング装置400上に設置する他の構造を備えることができる。
【００６１】
該釈放アーム408は、該ロッキング装置400から延伸する延伸部分を備え、ロック部品サポート台の係合部分と嵌合後、嵌合支持装置406を釈放することができる。
【００６２】
図５に示すように、釈放アーム408と嵌合支持装置406の個数は相同である。
【００６３】
多くの実施例中において、釈放アーム408は、嵌合支持装置406をその上に備える。
【００６４】
これにより、釈放アーム408がその非自由端をめぐり回転する時、嵌合支持装置406も同時に移動し、ロック部品サポート台の係合部分から釈放される。
【００６５】
本考案の多くの実施例において、ロッキング装置400はセルフ釈放設計で、つまり他の工具或いは装置を用いずに釈放することができる。
【００６６】
該ロッキング装置400の釈放アーム408は、普通の人が指２本でそれぞれ釈放アーム408を押すことで、嵌合支持装置406は、ロック部品サポート台の係合部分から釈放される。
【００６７】
図６及び図７は、それぞれ本考案一実施例キー制御釈放コネクターロッキング装置の俯瞰図及び立体模式図である。
【００６８】
図４及び５図に示すセルフ釈放コネクターロッキング装置400に類似し、キー制御釈放コネクターロッキング装置500は、ロック片サポート台502、少なくとも１個の第一嵌合支持装置506、少なくとも１個の第一釈放アーム508、一対の対応凹部504を備え、使用時には、ケーブルジョイントのロック部品サポート台と相互に対応する。
【００６９】
ある実施例中では、ロッキング装置500はさらに、設置及び除去突起510を備える。
該構造については、以下で詳細に説明する。
【００７０】
該ロック片サポート台502は、おおよそ該セルフ釈放コネクターロッキング装置400のロック片サポート台402と相似している。
【００７１】
同時に、該嵌合支持装置506と該釈放アーム508の構造と機能は、該セルフ釈放コネクターロッキング装置400の対応する構成部材と相同であるが、該釈放アーム508の操作方法は異なる。
【００７２】
キー制御釈放コネクターロッキング装置500の釈放アーム508は、該ロッキング装置500から延伸する回転可能な伸長部分を備え、ロック部品サポート台の係合部分と嵌合後、該嵌合支持装置506を釈放することができる。
【００７３】
ロッキング装置400の釈放アーム408とは異なり、その自由端は、該ロック片サポート台402の一端から離れ、キー制御釈放コネクターロッキング装置500の釈放アーム508は、その自由端は、ロック片サポート台502に近い端に位置する。
【００７４】
よって、それを回転させるため、釈放アーム508の嵌合支持装置506に近い位置に力を加えなければならない。
【００７５】
使用時には、使用者の手は、釈放アーム508に届かないため、工具或いは装置を使用する必要がある。
【００７６】
図８は、本考案一実施例のおいて、キー制御釈放コネクターロッキング装置のレンチキーに用いる立体模式図である。
【００７７】
本考案実施例において、レンチキー600は、ハンドル部分602と係合部分604を備える。
【００７８】
本考案の実施例に適用可能であれば、ハンドル部分602は、任意の長さ、大きさ或いは形状が可能である。
【００７９】
該レンチキー600の係合部分604は、釈放先端606及びサポート装置608を備え、キー制御釈放コネクターロッキング装置500の設置及び除去突出部分など、ロック部品と嵌合する。
【００８０】
図８に示すように、該係合部分604は、一対の釈放先端606を備え、該釈放先端606の個数は、キー制御釈放コネクターロッキング装置500上の釈放アーム508の個数に応じて決める。
【００８１】
図９は、本考案一実施例のキー制御釈放コネクターロッキング装置及びレンチキーの立体模式図である。
【００８２】
図に示すように、該レンチキー600の係合部分604は、キー制御釈放コネクターロッキング装置500と相互に対応する。
【００８３】
使用時には、該サポート装置608は、該設置及び除去突出部分510と相互に嵌合する。
【００８４】
図９に示すように、該サポート装置608は、孔609を備え、外形を通過し、設置及び除去突出部分510と相似の平面を形成する。
【００８５】
該サポート装置608と該設置及び除去突出部分510は、任意の形状或いは大きさが可能である。
【００８６】
また、本考案の多くの実施例中において、該サポート装置608は、ロッキング装置の設置或いは除去時に、キー制御釈放コネクターロッキング装置の嵌合を助け、及び一時的に嵌合して支持する。
【００８７】
除去或いはロック解除が必要な時には、該サポート装置608により、キー制御釈放コネクターロッキング装置500は、ロック部品サポート台から取り戻される。
【００８８】
該サポート装置608と該設置及び除去突出部分510が、一旦相互に嵌合すると、該レンチキー600の係合部分604により、該釈放先端606は該釈放アーム508を嵌合する。
【００８９】
該釈放アーム508が、該釈放先端606により嵌合されると、該釈放アーム508は、非自由端をめぐり回転し、該嵌合支持装置506は、相対するロック部品係合部分604から釈放される。
【００９０】
図１０は、本考案一実施例において、セルフ釈放コネクターロッキング装置を使用するコネクターケーブルアセンブリの立体模式図である。
【００９１】
図に示すように、嵌合後、該セルフ釈放コネクターロッキング装置400は、該ケーブルジョイントベースのロック部品サポート台208を嵌合して支持する。
【００９２】
こうして、ロッキング装置のロック片サポート台402は、該ロック片106下に定位され、それが圧迫されることを防止し、連接するメスコネクターとの接続を確保する。
【００９３】
コネクターケーブルアセンブリを釈放或いは解除する際、使用者は、いくらか圧縮力(例えば、つまむ或いは押す)を釈放アーム408に加える。
【００９４】
釈放アーム408が回転すると、嵌合支持装置406は、ロック部品サポート台308の係合部分312に定位され、同時に回転する。
【００９５】
該釈放アーム408が、釈放点に到達すると、該嵌合支持装置406は、該係合部分312の解除制限により、該ロッキング装置400は、スライドしてコネクター100から離れ、サポート台を取り除き、しかも係合部分312構造の干渉を受けることはない。
【００９６】
図１１及び図１２はそれぞれ本考案一実施例において、キー制御釈放コネクターロッキング装置を使用するコネクターケーブルアセンブリの立体模式図及び俯瞰図である。
【００９７】
上記したセルフ釈放コネクターロッキング装置に類似し、定位時には、キー制御釈放コネクターロッキング装置のロック片サポート台502は、ロック片106が圧迫されることを防止し、連接するメスコネクターとの接続を確保する。
【００９８】
図に示すように、キー制御釈放コネクターロッキング装置500が嵌合すると、適当なレンチキー或いは他の工具を使用しなければ、ロッキング装置を釈放することはできない。
【００９９】
図１３は、本考案一実施例において、交換式設置及び除去工具を備えるレンチキーの立体模式図である。
【０１００】
ある実施例中では、特に、ネットワークカード或いは類似装置のケーブル或いは危険箇所に手が及ばない時、改良レンチキー1000は、キー制御釈放コネクターロッキング装置500の設置及び除去を助けることができる。
【０１０１】
一実施例中では、該改良レンチキー1000は、ハンドル部分1002及び係合部分1004を備える。
【０１０２】
上記したレンチキー600に類似し、その係合部分1004は、釈放先端1006を備え、該改良レンチキー1000は、交換式サポート装置1008を備える。
【０１０３】
交換式サポート装置1008は、移動可能構造を備え、該移動可能構造の一端には、共通サポート装置1012を設置する。
【０１０４】
上記したレンチキー600のように、サポート先端1010を備え、構造の反対端に設置し、本考案実施例ロッキング装置の設置を助ける。
【０１０５】
多くの本考案実施例中では、交換式サポート装置1008は、ロッキング装置において、設置或いは除去する時、キー制御釈放コネクターロッキング装置500の嵌合を助け、及び一時的に嵌合して支持する。
【０１０６】
該交換式サポート装置1008は、あらゆる適した移動可能部材で、係合部分1004に連接する。
【０１０７】
例えば、図１３に示すように、交換式サポート装置1008は、係合部分1004の収納部位からスライドして退出し、或いはスライドして入る。
【０１０８】
他の置換構造は、合体釈放可能ロック部品、嵌合部品、重複使用可能粘着物或いは他の類似の物件を含む。
【０１０９】
本考案実施例に示すように、キー制御釈放コネクターロッキング装置500を、ネットワークカードがぎっしり詰まっている所、垂直定位連接、或いは反転定位連接等、接触が難しい位置に定位する時には、サポート先端1010により、使用者はサポートを得ることができる。
【０１１０】
さらに、上記した実施例中で、該セルフ釈放コネクターロッキング装置の幅は、該コネクターの幅より小さい。
【０１１１】
上記した別種の実施例中では、該キー制御釈放コネクターロッキング装置の幅は、該コネクターの幅より小さい。
【０１１２】
上記した別種の実施例中では、該ロッキングケーブルコネクターアセンブリのロッキング装置の幅は、該コネクターの幅より小さい。
【０１１３】
本考案はまた、他の変化が可能な実施例を含む。
【０１１４】
例えば、テクノロジーに従いケーブル設置の面で進歩し、特に、光ファイバーの面で、複数のコネクターが、単一のケーブルジョイントに接続し、複数のケーブルと相互にコミュニケーションが可能となる。
【０１１５】
この際には、ロッキング装置は修正が必要で、例えば、各コネクターのロック片の個数を増やし、つまり、本考案はRJコネクター、MT-RJ光ファイバーコネクター、LC光ファイバーコネクター等各種コネクターに運用可能である。
【０１１６】
上記の本考案名称と内容は、本考案技術内容の説明に用いたのみで、本考案を限定するものではない。本考案の精神に基づく等価応用或いはいは部品（構造）の転換、置換、個数の増減はすべて、本考案の保護範囲に含むものとする。
【産業上の利用可能性】
【０１１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【０１１８】
100  コネクター
102  ジョイントインターフェース
104  導体部分
106  ロック片
200  ケーブルジョイント
202、302ケーブル
204  本体
206  定位係合フック
208、308  ロック部品サポート台
210  サポート通路
212、312、604、1004  係合部分
300  ケーブルコネクターアセンブリ
304  ケーブルジョイント本体
400  セルフ釈放コネクターロッキング装置
402、502  ロック片サポート台
404、504  対応凹部
406、506  嵌合支持装置
408、508  釈放アーム
500  キー制御釈放コネクターロッキング装置
510  設置及び除去突起
600  レンチキー
602、1002  ハンドル部分
606、1006  釈放先端
608、1008  サポート装置
609  孔
1000  レンチキー
1010  サポート先端
1012  共通サポート装置
【図１】
0003168731.tif 000003
【図２】
0003168731.tif 000004
【図３】
0003168731.tif 000005
【図４】
0003168731.tif 000006
【図５】
0003168731.tif 000007
【図６】
0003168731.tif 000008
【図７】
0003168731.tif 000009
【図８】
0003168731.tif 000010
【図９】
0003168731.tif 000011
【図１０】
0003168731.tif 000012
【図１１】
0003168731.tif 000013
【図１２】
0003168731.tif 000014
【図１３】
0003168731.tif 000015
【手続補正書】
【提出日】平成23年4月21日(2011.4.21)
【手続補正１】
【補正対象書類名】実用新案登録請求の範囲
【補正対象項目名】全文
【補正方法】変更
【補正の内容】
【実用新案登録請求の範囲】
【請求項１】
コネクター、ケーブルジョイント本体、ケーブルからなるケーブルコネクターアセンブリに使用するためのコネクターロッキング装置であって、
該コネクターロッキング装置は、ロック片サポート台、第一嵌合支持装置、第一釈放アームからなり、
該ロック片サポート台は、前記コネクターロッキング装置の上表面から突出する突出部分を備え、前記コネクターのロック片を支持し、
該第一嵌合支持装置は、該コネクターロッキング装置本体の側面から外側へ突出する突出部分を備え、前記ケーブルジョイント本体の第一係合部分と嵌合し、
該第一釈放アームは、前記第一嵌合支持装置から伸長しており、
前記第一釈放アームを内側に動かすことにより前記第一嵌合支持装置がケーブルジョイント本体の第一係合部分から釈放されることを特徴とするコネクターロッキング装置。
【請求項２】
前記コネクターロッキング装置はさらに、第二嵌合支持装置、第二釈放アームを備え、
該第二嵌合支持装置は、該コネクターロッキング装置本体の側面より外側へ突出する突出部分を備え、前記ケーブルジョイント本体の第二係合部分と嵌合し、
該第二釈放アームは、前記コネクターロッキング装置から伸長しており、先端に前記第二嵌合支持装置を有し、
前記第二釈放アームを内側に動かすことにより前記第二嵌合支持装置がケーブルジョイント本体の第二係合部分から釈放されることを特徴とする請求項１に記載のコネクターロッキング装置。
【請求項３】
前記第一及び第二嵌合支持装置は、相互に対面する場所に位置することを特徴とする請求項２に記載のコネクターロッキング装置。
【請求項４】
前記第一及び第二釈放アームは、圧縮力を加えることにより非自由端を基点として、前記コネクターロッキング装置本体の側面に対して内側及び外側に可動であり、これにより該第一及び第二嵌合支持装置が、前記ケーブルジョイント本体の前記第一係合部分及び第二係合部分から釈放されることを特徴とする請求項３に記載のコネクターロッキング装置。
【請求項５】
前記コネクターロッキング装置の幅は、該コネクターの幅より小さいことを特徴とする請求項１に記載のコネクターロッキング装置。
【請求項６】
前記コネクターは、工業標準「RJ」コネクター、MT-RJ光ファイバーコネクター、或いは「LC」光ファイバーコネクターを設置するコネクターモジュールであることを特徴とする請求項１に記載のコネクターロッキング装置。
【請求項７】
前記第一係合部分は、前記ロック部品サポート台の側壁に設けられることを特徴とする請求項１に記載のコネクターロッキング装置。
【請求項８】
コネクター、ケーブルジョイント本体、ケーブルからなるケーブルコネクターアセンブリに使用するためのコネクターロッキング装置であって、
該コネクターロッキング装置はレンチキーにより釈放されるものであり、
前記コネクターロッキング装置は、ロック片サポート台、第一嵌合支持装置、第一釈放アームからなり、
該ロック片サポート台は、該コネクターロッキング装置の上表面から突出する突出部分を備え、前記コネクターのロック片を支持し、
該第一嵌合支持装置は、該コネクターロッキング装置本体の側面より外側へ突出する突出部分を備え、前記ケーブルジョイント本体の第一係合部分と嵌合し、
前記第一嵌合支持装置は、該第一釈放アームから伸長しており、
レンチキーが前記第一釈放アームに接触し、該第一釈放アームを動かすことにより、前記第一嵌合支持装置を前記ケーブルジョイント本体の第一係合部分から釈放することを特徴とするコネクターロッキング装置。
【請求項９】
前記コネクターロッキング装置はさらに、第二嵌合支持装置、第二釈放アームを備え、
該第二嵌合支持装置は、該コネクターロッキング装置本体の側面より外側へ突出する突出部分を備え、前記ケーブルジョイント本体の第二係合部分と嵌合し、
該第二釈放アームは、前記コネクターロッキング装置から伸長しており、
該第二釈放アームを動かすことにより、前記該第二嵌合支持装置を、前記ケーブルジョイント本体の第二係合部分から釈放することを特徴とする請求項８に記載のコネクターロッキング装置。
【請求項１０】
前記コネクターロッキング装置の幅は、該コネクターの幅より小さいことを特徴とする請求項８に記載のコネクターロッキング装置。
【請求項１１】
前記コネクターは、工業標準「RJ」コネクター、MT-RJ光ファイバーコネクター、或いは「LC」光ファイバーコネクターを設置するコネクターモジュールであることを特徴とする請求項８に記載のコネクターロッキング装置。
【請求項１２】
前記第一係合部分は、前記ロック部品サポート台の側壁に設けられることを特徴とする請求項８に記載のコネクターロッキング装置。
【請求項１３】
前記コネクターロッキング装置はさらに、コネクターロッキング装置の頂上表面から延伸する設置及び除去突起を備えることを特徴とする請求項８に記載のコネクターロッキング装置。
【請求項１４】
前記第一釈放アームは、レンチキーの釈放先端により接触され動かされることを特徴とする請求項８に記載のコネクターロッキング装置。
【請求項１５】
前記設置及び除去突起は、レンチキーの前記釈放先端と同一の方向に突出したサポート装置により嵌合されることを特徴とする請求項１４に記載のコネクターロッキング装置。